(57)【要約】本発明は、走査型プローブ顕微鏡特に原子間力顕微鏡を備えた測定システムを動作させる方法に関する。また、走査型プローブ顕微鏡を使用する試料の検査および上記試料を光学的に検査する測定システムに関する。この方法において、光学的記録装置を用いて記録された、試料の測定対象部分の光学像は表示装置に表示される。続いて、上記光学像の位置が選択される。探針走査測定のために、試料と探針とを相対的に移動する移動装置を座標変換に応じて制御することによって、探針走査測定用に構成された探針を、座標変換により光学像上の被選択位置に関連付けられた測定位置に移動する。座標変換は、光学像上の座標系と、測定位置をその要素として含む空間であって試料に対して探針が取り得る位置の全体からなる空間の座標系とを関連付ける予め定められた座標変換である。
2009522560.tif 000002
【特許請求の範囲】
【請求項１】
走査型プローブ顕微鏡、特に原子間力顕微鏡を備えた測定システムを動作させるための方法であって、
光学的記録装置を用いて記録された、試料の測定対象部分の光学像を、表示装置に表示する工程と、
上記光学像上の位置を選択する工程と、
探針走査測定のために、上記試料と探針とを相対的に移動する移動装置を座標変換に応じて制御することによって、探針走査測定用に構成された探針を、上記座標変換により上記光学像上の被選択位置に関連付けられた測定位置に移動する工程と、を含み、
上記座標変換は、上記光学像上の座標系と、上記測定位置をその要素として含む空間であって上記試料に対して上記探針が取り得る位置の全体からなる空間の座標系とを関連付ける予め定められた座標変換である、
ことを特徴とする方法。
【請求項２】
上記探針を上記測定位置に移動する工程において、上記測定位置に移動される上記探針上に形成された測定チップを用いて、上記探針走査測定の測定値を検出する工程を含む、
ことを特徴とする請求項１に記載の方法。
【請求項３】
上記表示装置に表示された上記光学像上に、上記探針の少なくとも一部分を表示する、
ことを特徴とする請求項１または２に記載の方法。
【請求項４】
上記表示装置に表示された上記光学像上に、上記探針を表示することなく、上記測定対象部分を表示する、
ことを特徴とする請求項１または２に記載の方法。
【請求項５】
ライブオペレーティングモードにおいて、瞬間的に記録された光学像を、上記光学像として表示する、
ことを特徴とする請求項１から４の何れか１項に記載の方法。
【請求項６】
上記表示装置上に、少なくとも１つの探針走査測定像を探針走査測定の測定値とともに表示し、該探針走査測定像と上記光学像とを少なくとも部分的にスーパーインポーズ表示する、
ことを特徴とする請求項１から５の何れか１項に記載の方法。
【請求項７】
上記測定対象部分の上記光学像の表示を、上記表示装置において繰り返し更新する、
ことを特徴とする請求項１から６の何れか１項に記載の方法。
【請求項８】
上記座標変換を、１つまたは幾つかの光学像上の１つまたは幾つかの像点と、上記試料に対する上記探針の位置のうちこれらの像点に対応する測定位置とを比較することによって座標変換を決定し、一般化された変換の規則を導き出す工程を含む、ことを特徴とする請求項１から７の何れか１項に記載の方法。
【請求項９】
上記１つまたは上記幾つかの光学像は、蛍光像、バックライト像、およびラマン分光像からなる群より選択された少なくとも１種類の像として記録される、ことを特徴とする請求項８に記載の方法。
【請求項１０】
走査型プローブ顕微鏡と光学的手段とを用いて試料を測定するための測定システムであって、
探針が形成されている走査型プローブ顕微鏡と、
探針走査測定のフレームワーク内での上記探針を用いた測定の対象となる試料の測定対象部分の光学像を記録するように構成された記録装置と、
上記光学像を表示するように構成された、上記光学的記録装置に接続された表示装置と、
上記測定の対象となる試料に対する上記探針の位置を変化させる移動装置と、
上記移動装置に接続され、上記表示装置に表示された光学像上の被選択位置を検出した後、探針走査測定のために上記移動装置を動作させるために必要な制御信号を生成することによって、上記探針を、上記光学像上の座標系と上記試料に対して上記探針が取り得る位置の全体からなる空間の座標系との間に予め定められた関連付けを与える座標変換よって上記光学像上の上記被選択位置に関連づけられた測定位置に移動するように構成された制御装置と、を備えた測定システム。
【請求項１１】
上記走査型プローブ顕微鏡は、原子間力顕微鏡、走査型近接場顕微鏡、またはフォトン走査型顕微鏡である、ことを特徴とする請求項１０に記載の測定システム。
【請求項１２】
上記制御装置は、上記光学像上の座標系と、上記試料に対して上記探針が取り得る位置の全体からなる空間との間に関連付けを検出するように構成されている、ことを特徴とする請求項１０または１１に記載の測定システム。
【発明の詳細な説明】
【発明の詳細な説明】
【０００１】
本発明は、走査型プローブ顕微鏡、特に原子間力顕微鏡を備えた測定システムを動作させるための方法に関する。また、測定システムに関する。
【０００２】
〔発明の背景〕
走査型プローブ顕微鏡（ＳＰＭ）は、探針を用いて検査対象である試料を走査することによって、例えば、試料の表面的特徴を記録する技術である。このために、探針と試料との相対運動が利用される。この相対運動は、探針および試料の少なくとも何れかが移動することにより達成される。通常、この相対運動は、水平方向への運動により実現される。また、この相対運動は、垂直方向にも行われる。走査型プローブ顕微鏡の一つの形態として、走査型力顕微鏡（ＳＦＭ）がある。この場合に使用される原子間力顕微鏡が備える探針は、繊細な測定チップを備えたカンチレバー状に形成される。
【０００３】
走査型プローブ顕微鏡と従来の光学顕微鏡とを組み合わせることは大きな利益となる。なぜならこれにより、走査型プローブ顕微鏡において検出された測定結果を、光学顕微鏡の光学像から得られる試料の構造に、より都合良く割り当てることが可能となるからである。この方法および上記の技術に従って、光学顕微鏡によって光学像が記録され、特にデジタルデータとして蓄積される。同様の方法により、上記走査型プローブ顕微鏡のフレームワーク内において、同様の試料のＳＰＭ像が生成され、蓄積される。この生成された両方の像を、画像処理プログラムを用いて最終的には一致させる。この目的のために、いくつかの条件が必要となる。
【０００４】
まず第一に、光学像およびＳＰＭ像は厳密に校正されたものでなければならない。ＳＰＭ像について、この条件は、走査型プローブ顕微鏡の水平方向の移動を検出するセンサを利用することによって、商業用に普及している多くの装置において既に具現化されている。光学像について言えば、厳密なキャリブレーションは困難である（特に生命科学分野において）。ただし、例えば、レンズマイクロメーターを用いた校正は可能である。
【０００５】
また、光学像とＳＰＭ像とは比較可能でなければならない。これは必然ではないが、多くの場合に当てはまる。なぜなら、両者の測定を実現する原理的な機構が大きく異なるため、これら２つの像をいくらでも一致させられるわけではないからである。
【０００６】
これら２つの像を関連付けるために、ＳＰＭ像は、光学像において識別可能な、ある特徴的な細部を認識できる断面を示していなければならない。しかしながら、走査型プローブ顕微鏡を用いた測定において生成されたＳＰＭ像は、検査対象となる試料の小さい断面のみをしばしば示すため、この要件は大きな制限となる。また、検査対象となる試料の大部分を、探針に損傷を与えること無しに検出することはできない。また、ある特定の実験的な検査においては、フォースディスタンスカーブ（ｆｏｒｃｅ−ｄｉｓｔａｎｃｅ−ｃｕｒｖｅ）が、試料における単一のまたは複数の位置においてしか測定されないため、ＳＰＭ像が生成されないこともある。
【０００７】
なお、２つの像点、すなわち、光学的記録装置を用いて得られた光学像の像点と走査型プローブ顕微鏡の測定結果における像点とを関連付ける方法についての以上の記載は厳密なものではなく、限定的に表現されたものに過ぎない。
【０００８】
走査型プローブ顕微鏡のフレームワーク内において、ビデオ画像記録を使用することも周知である。ビデオ画像記録は、試料に対する相対的な探針の位置を決めるためのサポートとして使用される。このビデオ画像記録は、そこに位置している探針とともに、試料の表面における測定部分の光学像を示す。しかしながら、探針がビデオ画像の一部分を通常は影にするため、探針の位置を決めるための位置確認が非常に難しくなるといった問題が起こる。またこれにより、ビデオ画像の境界を判断することも非常に難しい。
【０００９】
〔発明の要約〕
本発明の目的は、走査型プローブ顕微鏡を備えた測定システムを動作させるための改良された方法と、走査型プローブ顕微鏡を備えた測定システムであって、正確な探針の位置決め（検査対象物となる試料に対する探針の相対位置の決定）が可能な測定システムとを実現することにある。
【００１０】
この目的は、独立請求項１に係る、走査型プローブ顕微鏡を備えた測定システムを動作させるための方法によって達成される。また、独立請求項１０に係る、走査型プローブ顕微鏡を備えたシステムによって達成される。
【００１１】
本発明は、光学的記録装置（例えば、ＣＣＤカメラ）を用いて記録された、試料の測定対象部分の光学像を、走査型プローブ顕微鏡（例えば、原子間力顕微鏡）を備えた測定システムの動作中、表示装置に表示させるという思想を含む。キーボードやマウスを用いたり、あるいは、表示装置に触れたりして、ユーザによって光学像上のある点（以下、被選択点と呼称）が選択されると、ある座標変換によってその被選択点に関連付けられた測定点に探針が移動される。探針の移動は、試料に対する探針の位置を変化させる移動装置を、その座標変換に応じて制御することによって実現される。この座標変換は、局所的な関連付けまたは局所的な変換としても達成され得る。また、この座標変換は、予め定められた座標変換であって、光学像上の座標系と、試料に対して探針が取り得る位置の全体からなる空間（上述した測定位置をその要素して含む空間）との間に関連付けを与えるものである。この座標変換の決定は、１つまたは幾つかの光学像上の１つまたは幾つかの像点と、（試料に対する探針の配置において）これらの像点に対応する測定位置とを、一方の座標系が他方の座標系の像となるように関連付けることにより、変換の一般則を導出するという、経験的（実験的）な手法によって行なわれることが好ましい。これにより、制御ユニットが、走査型プローブ顕微鏡の検査中に光学像における１つまたはいくつかの像点が選択されれたときに、移動装置をそれに応じて制御することを可能ならしめる。
【００１２】
すなわち、走査型プローブ顕微鏡の検査中に、検査対象である試料と対向させて、探針を、光学像上に配置された点に対応する１つまたは幾つかの測定位置に正確に配置することが可能になる。例えば、走査型プローブ顕微鏡の使用者が、試料のある一部分に対して探針走査測定を実施したい場合（例えば、その部分が周囲の像点とのコントラスト比が大きい部分であるなど）、光学像上でその点を選択するだけで、座標変換を用いた移動装置による探針の移動であって、光学像上の被選択点に対応する測定位置への探針の移動が実現される。
【００１３】
座標変換については、光学像と測定空間（試料に対する探針の位置の集合）との関連付けるを与え得る種々の変換方法が採用され得る。種々の実施形態において、座標変換を実現するために利用される数学的道具立自体は、当業者にとって公知のものである。既知の変換方法としては、線形な変換方法として、行列を用いるものなどがある。また、非線形な変換方法として、高次の多項式を用いるもの、例えば、各点を２次の多項式を用いて変換するものなどがある。
【００１４】
好ましい一実施形態として、表示装置および移動装置と協働する制御装置においてソフトウェアによって実現された手段を用いて、座標変換を行うようにしてもよい。座標変換の結果、表示装置上の光学像における描画物と、検査対象である試料に対する探針の位置との間で、光学像上の被選択位置に応じた探針の正確な移動を保証すべく、キャリブレーションが行なわれる。走査型プローブ顕微鏡を用いた検査中に座標変換を検査することが想定される。また選択的に、いわば再校正を意味する１回または数回の再検査も想定され得る。
【００１５】
本発明の好ましいさらなる進歩により以下の事が想定される。すなわち、深針走査測定の測定値は、この動作中に測定位置に動かされた探針に形成された測定チップによって、該測定位置において検出される。
【００１６】
本発明の好ましい一実施形態として、探針の少なくとも一部分を、表示装置に表示された光学像上に表示する。
【００１７】
また、本発明好ましい一実施形態として、探針を表示することなく、測定対象部分を光学像上に表示する。これは、例えば、光学像の領域外に探針を移動することによって実現され得る。光学像の領域外に探針を移動するために、測定走査のために探針を移動するための、あるいは、試料のみを移動するための機構を流用することは適当ではない。このため、探針を大まかに移動させるための第２の機構を設けることが好ましい。さらなる好ましい実施形態として、探針の多様な位置へ移動するとともに、各々の場合において、探針と一緒に試料の光学像を記録する。そして、これら全ての光学像を、メディアンフィルターに入れる。光学像各々において異なった位置に含まれる探針の像は、このメディアンフィルターによって原画像から除去される。なお、メディアンフィルターの構成は公知である。
【００１８】
本発明のさらなる進歩として、ライブオペレーティングモードにおいて、瞬間的に記録されたものを光学像として表示する。これは例えば、ビデオ記録を用いて実施され得る。
【００１９】
本発明の有利な一実施形態として、探針の像を探針走査測定の測定値とともに表示装置に表示する。例えば、光学像と、座標変換に応じた探針走査測定像とをスーパーインポーズして表示する。
【００２０】
本発明の更なる進歩として、測定対象部分の光学像の表示を、表示装置において繰り返し更新する。
【００２１】
本発明の更なる進歩として、１つまたは幾つかの光学像上の１つまたは幾つかの像点と、（試料に対する探針の配置において）これらの像点に対応する測定位置とを比較することによって、座標変換を決定することが好ましい。これにより、一般化された変換の規則が導き出される。それ故、この実施形態においては、探針走査測定の測定値を記録することなく、キャリブレーションを実行することができる。
【００２２】
本発明の有利な実施形態として、以下の事が想定され得る。１つまたはいくつかの光学像は、蛍光像、バックライト像、およびラマン分光の像からなる群より選択された少なくとも１つの種類の像として記録される。光学像は、上記に規定された光学的な検査方法のうちの１つを用いて作り出されることが好ましい。検査の種類におけるいくつかの像の利用は想定され得る。
【００２３】
以下、本発明のさらなる好ましい実施形態について、特に、光学像と試料に対する探針の位置との間のキャリブレーションを目的とする実施形態について、詳細に説明する。
【００２４】
ＳＰＭ測定において、試料に対して探針が取り得る位置の全体からなる空間に対して、移動装置の動座標（試料に対する探針の位置とともに移動する動座標）によって、デカルト座標系が定義される。この場合に移動装置は、それによって移動される部品を確実に回転させることができる。これにより、デカルト座標系に変換を手段として像を形成させることができる。このデカルト座標系に戻す行為はこの方法の不可欠の部分では必ずしも無いが、理解を容易にするものである。多くの場合に、光学的な軸に対しての移動装置の調整は測定方法によって異なる。したがって、製造工場での校正は困難である。これは、デカルト座標系の基点においても同様である。例えば、多くの場合に使用者は探針を手動で取り付ける。また、探針と試料との相対的な位置は、測定方法によって異なる。
【００２５】
探針を水平方向に移動する移動装置の場合には、移動装置の座標系において、見込まれるまたは実際の測定位置の２つは探針に近接し得る。もし一致するべく像点が光学像において２つの位置において関連付けられ得たとしたら、この関連付けは光学像の像点と探針の測定位置との間における変換の規則を決定する。変換の規則それ自体は、移動装置の特定の位置、目的、特定の設置、または移動装置の制御値に対応している。ただ２つの点のみが使用されるこの簡単な場合は、もちろんただ１つの変換および回転が実行される必要があるときにのみ、適用される。座標変換は、探針の位置を決定するために、走査型プローブ顕微鏡の次の検査中に実行され得る。探針の位置は、移動装置を用いて光学像における選択に従った、試料に対向する位置である。実験的な走査型プローブ顕微鏡の検査中においても、試料の光学的な検査および走査型プローブ顕微鏡の検査の両方の検査方法からの情報はこの方法において互いに比較され得る。複雑な変換を行なう必要があるこのような場合のために、より多くの点もしかるべく決定される必要がある。
【００２６】
形成され表示装置に表示される具体的な像には、多様な選択肢がある。例えば、走査型プローブ顕微鏡の使用者に見慣れた外観を提供するために、光学像を、移動装置により引き起こされる平行移動の２つの移動軸に平行な辺を有する長方形の像に制限することができる。
【００２７】
また、以下の事が想定され得る。すなわち、例えば、試料を走査する探針が非常に不安定であることが検知されたとき、光学像を瞬間的な像または生の像としては表示しない。試料が急変することはないため、試料を計測するためには、前回記録された画像、すなわち、探針が測定位置に近づく前に記録された光学像を利用する。これは、試料を走査する場合についても適用される。前回記録された画像を用いて、移動装置により探針を出来る限り走査領域から取り除くことが望ましい。これにより、試料の表面の可能な限り多くの細部を、邪魔されることなく表示することができる。これは、蛍光法による測定よりも、バックライト法による測定にとって重要な意義がある。
【００２８】
いくつかの像を表示装置の上に表示することが想定され得る。これらの像は光学的な像および／またはＳＰＭ像であり、個々の像は取り除いたり追加したりすることができる。これに関連して、共通の座標系を有する幾つかの画像を、試料上の同一の点に対応する像点同士が重なり合うように表示することが好ましい。この場合、半透明な画像を用いることが好ましい。ＳＰＭ像を除去すれば、すなわち、光学像のみを表示すれば、非常に優れた計測が可能となる。１つまたはいくつかのＳＰＭ像の除去に加えて、光学的に表示された情報のカラーコードを使用するという選択もある。
【００２９】
また、さらなる情報を表示装置に表示し得る。例えば、そこで走査型プローブ顕微鏡による測定が行なわれた点のみでなく、そこで操作が行われた線などもこれに含まれる。このようにして表示装置に表示される像点は、通常の方法によりその像点に関連付けられた電子的なデータを有し得る。通常の方法としては、メニュー機能を用いたアクセス、例えば表示された像点のクリックによるものなどが挙げられる。
【００３０】
探針と試料とが相互作用しあう位置を、十分な精度で決定することができない、という事態が生じ得る。。また、光学像上の点を試料に対する探針の位置を表す座標系上の点に変換する座標変換によって、相互作用点（すなわち、探針の測定チップの位置）の代わりに、他の点が基準点として利用される、という事態が生じ得る。この場合、座標変換は、測定チップの位置と基準点との間の距離を考慮に入れて決定されるべきである。この距離（移動ベクトルに関連付けられる距離）を決定するのにはいくつかの選択がある。例えば、さらなる試験的な検査、特に電子顕微鏡検査がこの目的のために使用され得る。探針のデータシートからの情報も使用され得る。像の比較も想定され得る。特に多数の類似の特徴および定期的に繰り返されるパターンを備えた試料を用いることにより、さらなる暗示が無くとも像の比較ではない実質的な改良が得られる。しかしながらこの場合には、両方の検査方法からの比較できる情報が必要条件となる。
【００３１】
座標変換において、線形の像は多様な関連した検査のうちのある場合においては部分的にしか効果を示さないという事実が示されている。それ故、平行移動（シフト）と回転移動の他に、更なる適応、例えば、２次の多項式による適応を追加的に考慮することが想定される。十分に正確な座標変換を保証するために、普及している測定装置、好ましくは最大２５の測定ポイントを有する測定装置が使用できる事が実際に示されている。
【００３２】
走査型プローブ顕微鏡および光学像を記録するための記録装置を備えた測定システムは、制御装置を有している。制御装置は、決定された座標変換を実行する。これにより、表示された光学像における位置を選択した後に、探針および検査を受けた試料は移動装置を利用してそれ相応に配置される。移動装置を作動させるために必要な制御信号が、座標変換の実装に応じた制御装置を起動する。制御装置は、座標変換が決定される進歩的な測定工程を行なうように構成されていることも追加的に想定され得る。この目的のため、ソフトウェアベースの適用が制御装置において実行される事が好ましい。ソフトウェアベースの適用は、光学像の点を検出するという特別な目的、および探針と試料との相対位置を移動装置を用いて提供する。ソフトウェアベースの適用は、この結果として選択的に変換の規則を導き出す。このような前測定工程は、測定システムの使用者によって再度使用され得る。これは、再測定を実行する目的のため、走査型プローブ顕微鏡の検査中にも行なわれる。
【００３３】
上記に記載の方法は、特に走査型プローブ顕微鏡における任意の形式に使用できる。すなわち、原子間力顕微鏡だけでなく、他の顕微鏡による検査も想定され得る。他の顕微鏡としては例えば、試料の像が光ピンセットを使用することにより記録され得る走査型光子顕微鏡（ＳＰｈＭ）、または近接場光顕微鏡（ＳＮＯＷ）がある。例外的なケースとして、光学上の１点さえ分かっていれば、走査型プローブ顕微鏡による検査は試料のこの点において正確に実行されるため、この方法を利用することができる。この場合、位置の関連付けは、２つの位置、つまり光学像上の１つの位置と１つの測定位置とに対して行なわれる。
【００３４】
〔本発明における好ましい実施形態の詳細〕
本発明の実施形態を、図を参照して以下に詳細に説明する。
【００３５】
図１は、測定における配置を断面的に示す概略図である。
【００３６】
図２は、３つの異なる座標系における正三角形を示す概略図である。
【００３７】
図３は、プローブ走査装置を使用した角度および補正値の測定を示す概略図である。
【００３８】
図４は、測定チップを備えたカンチレバーおよび基準点を示す光学像である。
【００３９】
図５は、測定チップを備えたカンチレバーおよび基準点を示すさらなる光学像である。
【００４０】
図６は、カンチレバーの他の光学像である。
【００４１】
図７は、シーケンス線図である。
【００４２】
図８は、測定システムの概略図である。
【００４３】
図１に、多種の座標系においての測定における配置の断面的な概略図を示す。座標系Σ１は、測定対象の試料１に割り当てられる。また、座標系Σ２は探針２０に割り当てられる。探針２０は保持装置２に保持されており、試料１における走査型プローブ顕微鏡の検査のために構成される。観測の他の形態に従って、共通の座標系は試料１および探針２０を備えた配置にも割り当てられ得る。２つの座標系Σ１、Σ２のどちらかはオブザーバー３に関連しては動けない。これは、探針２０および／または試料１０が相対的に位置を動く場合でも同様である。この例における簡単な記載においてオブザーバー３は、レンズ３０およびＣＣＤチップ３１により示される。レンズ３０およびＣＣＤチップ３１は、試料１の光学像を記録するためのシステムを形成する。他の座標系Σ３は、オブザーバー３にあてがわれる。
【００４４】
図２に、３つの異なる座標系における正三角形の概略図を示す。正三角形は、図２における符号番号４１に示されるように、仮の検査対称を形成する。これは、ＳＰＭ像（上の図）、光学像（中央の図）、さらなる光学像（下の図）において示される。
【００４５】
この条件において、三角形４１は実在する構造である。この構造は、走査型プローブ顕微鏡だけでなく、視覚的な検査によっても検査され得る。したがって、少なくとも一つの光学像および走査型プローブ顕微鏡（ＳＰＭ像）における一つの測定結果の像が生成され得る。図２における上の図は、境界線によって示される走査の領域とともにＳＰＭ像４０を示す。試料に対する探針の位置を変化させる移動装置によりキャリブレーションされた正三角形４１は示される。正三角形４１の中央に基点４２がある。基点４２は、説明を簡単にするためＳＰＭ像４０の中央に一致している。
【００４６】
図２の中央の図において、三角形４１の光学像４３は、光学像に誤りの無い状態で示されている。この場合、三角形４１は角度４５の分だけほんの少し回転している。そして、三角形４１の中央点４６は、光学像４３の基点４７に向かって動き、これにより三角形４１は再度像の中心に戻る。
【００４７】
図２の下図に、三角形４１の更なる光学像４８を示す。この図においては、光学的ひずみが記録されている。これにより、回転または移動による単なる変換は、三角形同士の一致を成立させるためには不十分であることが証明された。この三角形同士とは、図２の下図におけるさらなる光学像における三角形と、図２の上図におけるＳＰＭ像における三角形とのことである。
【００４８】
図３に、角度キャリブレーションおよび走査型プローブ顕微鏡の走査装置を用いた補正の概略図を示す。探針および試料は、走査型プローブ顕微鏡の検査中に、走査装置によって試料に対する探針の位置を変化させるように動かされる。カンチレバー２００として使用される探針の光学像３２が示される。光学像３２はＣＣＤチップ３１を用いて記録される。カンチレバー２００は、ピラミッド型測定チップ２１０を有している。測定チップ２１０のチップは、基準点２２０を形成する。説明を簡単にするために他の図面においても、カンチレバー２００の表面のみを示す。ベクトル５１により参照された動きにより、カンチレバー２００は位置を変える。移動後の位置を破線２５０、２６０、および２７０に示す。光学像３２における基準点２２０，２７０の位置を利用することにより、光学像３２の変換（回転および移動）は、参照された場所内においてこのとき果たされ得る。すなわち、座標系は、測定対象の試料およびカンチレバー２００と共に配置される。これにより、もし光学像３２が走査型プローブ顕微鏡を用いた測定における所望の解像度より強く歪められていなくても、十分な正確性が示される。
【００４９】
図４に、測定チップ２１０および基準点２２０とともに、カンチレバー２００のさらなる光学像３３を示す。ここでは試料１０が動かされるため、光学像３３は静止している。試料２における視認可能な部分は特徴点３を取り囲む。試料２および特徴点３は、ベクトル５２により参照された動きにより、新しい位置４，５に動かされる。上記に記述した望ましい場合は、特徴点５が基準点２２０に正確に一致することにより示される。基準点２２０はすなわち、カンチレバー２００と相互に作用するものである。基準点２２０および特徴点３，５の位置を利用して、さらなる光学像３３の変換（回転および移動）による基準点の移動は行われ得る。
【００５０】
図５に、光学像３４においての図４における状況を再度示すが、特徴点３はベクトル５３を通って基準点から新しい位置に移動される。新しい位置はここでは、基準点を提供するカンチレバー２００の角２３である。ここでベクトル５４がもし既知であれば、図４に関連して記載された座標変換もここにおいて可能である。
【００５１】
図６に、カンチレバー２００とともに他の光学像３５を示す。光学像３５は、ＣＣＤチップ３１を用いて記録される。
【００５２】
基準点２２０は、基準点から９つの異なる位置に続いて動かされる。９つの異なる位置は図中に破線において示される。これらの位置は４個の角、４個の側面における中央点、および四角の中央点がある。これらの点は、互いに同距離の３つの平行線とそれに直交する３つの平行線との交差点である。他の光学像３５においては、垂直線３３０はもはや互いに平行ではなく、かつ水平線３４０も平行ではない。したがって、測定位置５１〜５９も当然にもはや四角に配置されていない。点の位置は、変換指示の見積もりを基準点の空間における他の光学像３５の変換においても可能にし、続いて原子間力顕微鏡の座標系においても可能にする。他の点の配置も選択され得る。もし光学像を記録するための光学が実質的に変わらなかったとしても、一度得られた変換の指示は概して維持される。したがって、試料に対する大まかな調整、および同じ変換を新しい光学像に適用することが可能になる。この場合においてカンチレバー２００は、それ自体が基準点を通り抜ける以外でも、どのような形にも動かされる。そして、上記に記載した方法に従って平面における変換のみが行なわれ得る。
【００５３】
図７に、上記の方法を説明するシーケンス線図を示す。
【００５４】
まず第一に、段階６０において検査が行なわれる。この検査は、光学像において探針２０が視認可能かどうかの検査である。もし光学像における探針２０が視認可能であれば、段階６１において検査が行なわれる。この検査は、走査型プローブ顕微鏡の検査において全ての探針２０が予め決められた測定位置にあるかどうかの検査である。もしこの検査においても問題が無ければ、実際の走査型プローブ顕微鏡の検査が直接開始され得る。
【００５５】
もし上記の２つの検査のうちどちらかに問題がある場合には、段階８０に従って、大まかな動きを利用した探針２０の相対運動が実行される。そして、段階６１が再度行なわれる。表示された光学像において探針２０が視認可能中に第一の動きは行なわれる。したがって、段階６０に戻る必要は無いことはこの簡単な方法において当然である。
【００５６】
装置の動きは、概して以下のように行なわれることが好ましい。一方では、走査型プローブ顕微鏡の検査中に正確かつ高解像度の走査の動きが、細かい動作の機構例えば圧電素子を利用して行なわれ得る。この場合に採用される細かい動作の機構における位置の正確さは、通常はサブマイクロメーター好ましくはナノメーターの範囲である。他方では、探針および試料の容器は、大まかな動作機構を用いて互いに大まかに動かされ得る。例えば、光学像から探針を検出するために、前測定が行われる。
【００５７】
キャリブレーションする目的のため段階８１において、光学像は記録され、特にデジタルデータとして蓄積される。次に、段階６２において検査が行われる。この検査は、座標変換を利用して行なわれるキャリブレーションのための十分な量の光学像があるかどうかを調べる検査である。例えばもし前測定における測定位置の数が探針の数に近づき、かつ関連した光学像が記録された場合に、光学像の数が十分であるかどうかを調べる。もしここで問題があれば、探針２０は段階８２において動かされる。また、段階８１において光学像は再び記録される。
【００５８】
もし段階６２における検査において肯定的な結果が得られれば、段階８３において探針各々の位置についての適切なアルゴリズムを用いて、それらに対応する像点は決定される。このアルゴリズムは、好ましい実施形態において、上記像点が探針上に形成された測定チップに一致するものである。これは、周知である像を調整する方法を用いて行なわれ得る。他の方法として、使用者が探針２０における少なくとも一つの位置を選択し得る方法もある。自動検査または部分的な自動検査のために、段階６２と連動して、段階８３において実行されたアルゴリズムを用いることも想定され得る。
【００５９】
もし対応する正確な距離が既知である光学像における像点の走査を行なう場合には、座標変換の調整は段階８４に従って得られる。段階８４は、探針２０の移動動作における光学像を取得する段階である。座標変換は、走査型プローブ顕微鏡における光学像の限定使用に基づいた検査の実行前に、前測定において決定される。
【００６０】
探針２０の測定チップが特定の場所に十分に、かつ正確に配置され得る場合においては、光学像の座標系と、試料に対向する探針の測定位置の座標系との２つの座標系の基点は等しくなるように選択され得る。
【００６１】
この方法において得られた座標変換とともに、段階８５に従って光学像は表示装置の画面に表示される。また、走査型プローブ顕微鏡を用いた測定結果の像が記録され得る、この画面における領域は選択され得る。光学像におけるただ一つの像点が、力対距離分光法（ｆｏｒｃｅ−ｄｉｓｔａｎｃｅ−ｓｐｅｃｔｒｏｓｃｏｐｙ）のために選択されることも想定される。走査型プローブ顕微鏡の検査における測定結果は、表示装置の画面において表示され得る。これを連結することにより、異なる色を多様な像に割り当てることも想定され得る。さらに、少なくとも部分的に透明な像も採用され得る。
【００６２】
もし探針２０の光学像が記録され、かつもし関連する細部が走査型プローブ顕微鏡の像においてだけでなく光学像においても認識される場合には、段階６３における検査が行なわれる。この検査は、予め決定された座標変換が十分であるかどうかを調べる検査である。もしここで問題がある場合には、段階８６において一度の軽微な修正が行なわれる。もし修正が必要で無い場合には、試料が段階８７の処置に移るまでの間、段階８５の処置が続けられる。この場合には段階６４において、試料の動きかどうかを調べる検査が行なわれる。この検査は、座標系Σ１の動きが光学像の記録における光学的な変化を引き起こすかどうかの検査である。もし段階６４において問題があれば、光学像を記録する測定が再度段階８１において行なわれる。もし段階６４においての検査に問題がある場合には、段階８５において古い光学像は新しい光学像に交換され得る。段階６４における問題とは例えば、光学的特性を記録する像においてカバーガラスまたは他の通常の組立品についての問題が考えられる。新しい光学像に交換される場合には、生の像は背景に示されることも想定され得る。
【００６３】
図８に測定システムの概略図を示す。測定システムは、走査型プローブ顕微鏡９０および記録装置９１を備えている。記録装置９１は、検査対象の試料の光学像の一部を記録するように、走査型プローブ顕微鏡９０とともに構成されている。記録装置９１は、例えばＣＣＤカメラを備えた顕微鏡でも良い。表示装置９２は記録装置９１に連結されている。表示装置９２は例えば、記録装置９１によって記録された光学像を表示する目的のために構成されたコンピュータと連結したスクリーンまたはモニターである。さらに、表示装置９２は走査型プローブ顕微鏡の検査における測定結果を示すためにも配置される。この測定結果は、重ね合わせる形、すなわち例えば光学像および同一の座標系における走査型プローブ顕微鏡の像において表示されることが好ましい。表示装置９２は制御装置９３に連結されている。これにより、走査型プローブ顕微鏡９０または記録装置９１を選択的に結合する入力装置９４を利用することによって、使用者は表示されている光学像において処置が実行された選択された位置を検出することができる。制御装置９３は、例えばコンピュータプログラムによって形成される。入力装置は、意図的にコンピュータマウスまたはキーボードにしてもよい。走査型プローブ顕微鏡による検査中に、制御装置９３は電気制御信号を生成する。電気制御信号は、試料と探針とをそれ相応に配置する目的のため、走査型プローブ顕微鏡９０の移動装置に送られる。
【００６４】
この記述、請求項および図において明示された発明の特徴は、その多様な実施形態における発明の実現のため、任意の組み合わせだけでなく個々においても重要となり得る。
【図面の簡単な説明】
【００６５】
【図１】本発明の一実施形態に係る、測定における配置を断面的に示す概略図である。
【図２】本発明の一実施形態に係る、３つの異なる座標系における正三角形を示す概略図である。
【図３】本発明の一実施形態に係る、プローブ走査装置を使用した角度および補正値の測定を示す概略図である。
【図４】本発明の一実施形態に係る、測定チップを備えたカンチレバーおよび基準点を示す光学像の図である。
【図５】本発明の一実施形態に係る、測定チップを備えたカンチレバーおよび基準点を示すさらなる光学像の図である。
【図６】本発明の一実施形態に係る、カンチレバーを示す他の光学像の図である。
【図７】本発明の一実施形態に係る、シーケンス線図である。
【図８】本発明の一実施形態に係る、測定システムの概略図である。
【図１】
2009522560.tif 000003
【図２】
2009522560.tif 000004
【図３】
2009522560.tif 000005
【図４】
2009522560.tif 000006
【図５】
2009522560.tif 000007
【図６】
2009522560.tif 000008
【図７】
2009522560.tif 000009
【図８】
2009522560.tif 000010
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
走査型プローブ顕微鏡、特に原子間力顕微鏡を備えた測定システムを動作させるための方法であって、
光学的記録装置を用いて、試料の測定対象部分の光学像を記録する工程と、
上記光学像を、上記光学像上の座標系と、上記試料に対して探針が取り得る位置の全体からなる空間の座標系とを関連付ける予め定められた座標変換に従って変換する工程と、
変換された上記光学像を、表示装置に表示する工程と、
変換された上記光学像上の位置を選択する工程と、
探針走査測定のために、上記試料と探針とを相対的に移動する移動装置を座標変換に応じて制御することによって、探針走査測定用に構成された上記探針を、上記試料に対して探針が取り得る測定位置であって、上記座標変換により変換された上記光学像上の被選択位置に関連付けられた測定位置に移動する工程と、を含む、
ことを特徴とする方法。
【請求項２】
上記探針を上記測定位置に移動する工程において、上記測定位置に移動される上記探針上に形成された測定チップを用いて、上記探針走査測定の測定値を検出する工程を含む、
ことを特徴とする請求項１に記載の方法。
【請求項３】
上記表示装置に表示された変換された上記光学像上に、上記探針の少なくとも一部分を表示する、
ことを特徴とする請求項１または２に記載の方法。
【請求項４】
上記表示装置に表示された変換された上記光学像上に、上記探針を表示することなく、上記測定対象部分を表示する、
ことを特徴とする請求項１または２に記載の方法。
【請求項５】
ライブオペレーティングモードにおいて、瞬間的に記録された光学像を、変換された上記光学像として表示する、
ことを特徴とする請求項１から４の何れか１項に記載の方法。
【請求項６】
上記表示装置上に、少なくとも１つの探針走査測定像を探針走査測定の測定値とともに表示し、該探針走査測定像と変換された上記光学像とを少なくとも部分的にスーパーインポーズ表示する、
ことを特徴とする請求項１から５の何れか１項に記載の方法。
【請求項７】
上記測定対象部分の変換された上記光学像の表示を、上記表示装置において繰り返し更新する、
ことを特徴とする請求項１から６の何れか１項に記載の方法。
【請求項８】
上記座標変換を、１つまたは幾つかの光学像上の１つまたは幾つかの予め記録された像点と、上記試料に対する上記探針の位置のうちこれらの像点に対応する測定位置とを比較することによって座標変換を決定し、上記座標変換についての一般化された変換の規則を導き出す工程を含む、ことを特徴とする請求項１から７の何れか１項に記載の方法。
【請求項９】
上記１つまたは上記幾つかの予め記録された光学像、および上記変換された光学像は、蛍光像、バックライト像、およびラマン分光像からなる群より選択された少なくとも１種類の像として記録される、ことを特徴とする請求項８に記載の方法。
【請求項１０】
走査型プローブ顕微鏡と光学的手段とを用いて試料を測定するための測定システムであって、
探針が形成されている走査型プローブ顕微鏡と、
探針走査測定のフレームワーク内での上記探針を用いた測定の対象となる試料の測定対象部分の光学像を記録するように構成された記録装置と、
上記光学像上の座標系と上記試料に対して上記探針が取り得る位置の全体からなる空間の座標系との間に関連付けを与える、予め決められた座標変換に応じて上記光学像を変換するように構成された制御装置と、
変換された上記光学像を表示するように構成された、上記制御装置と上記光学的記録装置とに接続された表示装置と、
上記測定の対象となる試料に対する上記探針の位置を変化させる移動装置と、を備え、
上記制御装置は、上記移動装置にさらに接続され、上記表示装置に表示された変換された上記光学像上の被選択位置を検出した後、探針走査測定のために上記移動装置を動作させるために必要な制御信号を生成することによって、上記探針を、変換された上記光学像上の上記被選択位置に関連づけられた測定位置に移動するように構成されている、測定システム。
【請求項１１】
上記走査型プローブ顕微鏡は、原子間力顕微鏡、走査型近接場顕微鏡、またはフォトン走査型顕微鏡である、ことを特徴とする請求項１０に記載の測定システム。
【請求項１２】
上記制御装置は、上記光学像上の座標系と、上記試料に対して上記探針が取り得る位置の全体からなる空間との間に関連付けを検出するように構成されている、ことを特徴とする請求項１０または１１に記載の測定システム。
【請求項１３】
走査型プローブ顕微鏡、特に走査型力顕微鏡を備えた測定システムのキャリブレーション方法であって、
１つまたは幾つかの光学像の座標系と、走査型プローブ顕微鏡のために構成された探針が試料に対して取り得る位置の全体からなる空間の座標系との間の座標変換を決定する決定ステップを含み、
上記決定ステップは、１つまたは幾つかの上記光学像上の１つまたは幾つかの像点と、上記試料に対する上記探針の位置の集合においてこれらの像点に対応する測定位置とを比較するステップと、その結果から一般化された変換の規則を導き出すステップとを含む、方法。
【国際調査報告】
2009522560.tif 000011
2009522560.tif 000012
2009522560.tif 000013
2009522560.tif 000014
2009522560.tif 000015
2009522560.tif 000016